【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
第１のユーザが利用している第１のクライアント装置と前記第１のユーザが利用している第２のクライアント装置とを登録する登録手段と、
前記第１のユーザを宛先とする第１のメッセージを前記第１のクライアント装置に送信し、前記第１のメッセージに付与された識別子に対応する識別子が前記第１のユーザを宛先とする第２のメッセージに付与されていると、前記第１のユーザを宛先とする第１のメッセージを送信した前記第１のクライアント装置に前記第２のメッセージを送信し、前記第１のメッセージに付与された識別子に対応する識別子が前記第１のユーザを宛先とする第３のメッセージに付与されていないと、前記第２のクライアント装置に前記第３のメッセージを送信する送信手段と
を有することを特徴とする送信装置。
【請求項２】
前記第２のクライアント装置がメッセージを受信できない状態である場合には、前記第２のメッセージの送信を行わず、前記第２のメッセージの送信元に前記第２のメッセージが送信できなかったことを示すエラーメッセージを送信することを特徴とする請求項１に記載の送信装置。
【請求項３】
前記送信手段は、前記第１のメッセージに付与された識別子に対応する識別子が付与されていない前記第１のユーザを宛先とする第３のメッセージを、前記第１のクライアント装置よりも優先度が高い前記第２のクライアント装置に送信することを特徴とする請求項１に記載の送信装置。
【請求項４】
前記送信手段が前記第１のクライアント装置又は前記第２のクライアント装置に送信するメッセージを、第３のクライアント装置から受信する受信手段と、
前記第１のユーザを宛先とするメッセージを送信した前記第１のクライアント装置を示すデータを記憶する記憶手段とを有し、
前記送信手段は、前記記憶手段に記憶された前記データに基づいて、前記第１のユーザを宛先とする第１のメッセージを送信した前記第１のクライアント装置に前記第２のメッセージを送信し、
前記第１のメッセージに付与された識別子に対応する識別子が付与され前記第１のユーザを宛先とするメッセージを前記受信手段が所定の閾値以上の時間受信しない場合、前記記憶手段は、前記第１のユーザを宛先とするメッセージを送信した前記第１のクライアント装置を示すデータを削除する
ことを特徴とする請求項１に記載の送信装置。
【請求項５】
第１のユーザが利用している第１のクライアント装置と前記第１のユーザが利用している第２のクライアント装置とを登録する登録手段と、
メッセージに識別子を付与する付与手段と、
前記第１のユーザを宛先とする第１のメッセージを前記第１のクライアント装置に送信し、前記第１のメッセージに付与された識別子に対応する識別子が前記第１のユーザを宛先とする第２のメッセージに付与されていると、前記第１のユーザを宛先とする第１のメッセージを送信した前記第１のクライアント装置に前記第２のメッセージを送信し、前記第１のメッセージに付与された識別子に対応する識別子が前記第１のユーザを宛先とする第３のメッセージに付与されていないと、前記第２のクライアント装置に前記第３のメッセージを送信する送信手段と
を有することを特徴とする送信システム。
【請求項６】
前記送信手段は、前記第１のメッセージに付与された識別子に対応する識別子が付与されていない前記第１のユーザを宛先とする第３のメッセージを、前記第１のクライアント装置よりも優先度が高い前記第２のクライアント装置に送信することを特徴とする請求項４に記載の送信システム。
【請求項７】
第１のユーザが利用している第１のクライアント装置と前記第１のユーザが利用している第２のクライアント装置とを登録する登録ステップと、
前記第１のユーザを宛先とする第１のメッセージを前記第１のクライアント装置に送信する第１の送信ステップと、
前記第１のメッセージに付与された識別子に対応する識別子が前記第１のユーザを宛先とする第２のメッセージに付与されていると、前記第１のユーザを宛先とする第１のメッセージを送信した前記第１のクライアント装置に前記第２のメッセージを送信し、前記第１のメッセージに付与された識別子に対応する識別子が前記第１のユーザを宛先とする第３のメッセージに付与されていないと、前記第２のクライアント装置に前記第３のメッセージを送信する第２の送信ステップと
を有することを特徴とする送信方法。
【請求項８】
前記第２のクライアント装置がメッセージを受信できない状態である場合には、前記第２のメッセージの送信を行わず、前記第２のメッセージの送信元に前記第２のメッセージが送信できなかったことを示すエラーメッセージを送信する第３の送信ステップを有する
ことを特徴とする請求項６に記載の送信方法。
【請求項９】
前記第２の送信ステップにおいて、前記第１のメッセージに付与された識別子に対応する識別子が付与されていない前記第１のユーザを宛先とする第３のメッセージを、前記第１のクライアント装置よりも優先度が高い前記第２のクライアント装置に送信することを特徴とする請求項６に記載の送信方法。
【請求項１０】
前記第１のクライアント装置又は前記第２のクライアント装置に送信するメッセージを、第３のクライアント装置から受信する受信ステップと、
前記第１のユーザを宛先とするメッセージを送信した前記第１のクライアント装置を示すデータを記憶手段に記憶する記憶ステップと、
前記第１のメッセージに付与された識別子に対応する識別子が付与され前記第１のユーザを宛先とするメッセージを前記受信ステップにおいて所定の閾値以上の時間受信しない場合、前記第１のユーザを宛先とするメッセージを送信した前記第１のクライアント装置を示すデータを前記記憶手段から削除する削除ステップとを有する
ことを特徴とする請求項６に記載の送信方法。
【請求項１１】
コンピュータに、
第１のユーザが利用している第１のクライアント装置と前記第１のユーザが利用している第２のクライアント装置とを登録する登録手順と、
前記第１のユーザを宛先とする第１のメッセージを前記第１のクライアント装置に送信する第１の送信手順と、
前記第１のメッセージに付与された識別子に対応する識別子が前記第１のユーザを宛先とする第２のメッセージに付与されていると、前記第１のユーザを宛先とする第１のメッセージを送信した前記第１のクライアント装置に前記第２のメッセージを送信し、前記第１のメッセージに付与された識別子に対応する識別子が前記第１のユーザを宛先とする第３のメッセージに付与されていないと、前記第２のクライアント装置に前記第３のメッセージを送信する第２の送信手順と
を実行させるためのプログラム。
【請求項１２】
前記コンピュータに、
前記第２のクライアント装置がメッセージを受信できない状態である場合には、前記第２のメッセージの送信を行わず、前記第２のメッセージの送信元に前記第２のメッセージが送信できなかったことを示すエラーメッセージを送信する第３の送信手順を実行させるための請求項１０に記載のプログラム。
【請求項１３】
前記コンピュータに、
前記第２の送信手順において、前記第１のメッセージに付与された識別子に対応する識別子が付与されていない前記第１のユーザを宛先とする第３のメッセージを、前記第１のクライアント装置よりも優先度が高い前記第２のクライアント装置に送信する処理を実行させるための請求項１０に記載のプログラム。
【請求項１４】
前記コンピュータに、
前記第１のクライアント装置又は前記第２のクライアント装置に送信するメッセージを、第３のクライアント装置から受信する受信手順と、
前記第１のユーザを宛先とするメッセージを送信した前記第１のクライアント装置を示すデータを記憶手段に記憶する記憶手順と、
前記第１のメッセージに付与された識別子に対応する識別子が付与され前記第１のユーザを宛先とするメッセージを前記受信手順において所定の閾値以上の時間受信しない場合、前記第１のユーザを宛先とするメッセージを送信した前記第１のクライアント装置を示すデータを前記記憶手段から削除する削除手順とを実行させるための請求項１０に記載のプログラム。
【手続補正２】
【補正対象書類名】明細書
【補正対象項目名】発明の名称
【補正方法】変更
【補正の内容】
【発明の名称】送信装置、送信システム、送信方法、およびプログラム
【手続補正３】
【補正対象書類名】明細書
【補正対象項目名】００１６
【補正方法】変更
【補正の内容】
【００１６】
前述の課題を解決するために、本発明は、第１のユーザが利用している第１のクライアント装置と前記第１のユーザが利用している第２のクライアント装置とを登録する登録手段と、前記第１のユーザを宛先とする第１のメッセージを前記第１のクライアント装置に送信し、前記第１のメッセージに付与された識別子に対応する識別子が前記第１のユーザを宛先とする第２のメッセージに付与されていると、前記第１のユーザを宛先とする第１のメッセージを送信した前記第１のクライアント装置に前記第２のメッセージを送信し、前記第１のメッセージに付与された識別子に対応する識別子が前記第１のユーザを宛先とする第３のメッセージに付与されていないと、前記第２のクライアント装置に前記第３のメッセージを送信する送信手段とを有することを特徴とする。